(57)【要約】【課題】肩掛けベルトが使用中にランドセルの重量により肩からずれず、ランドセルの背当て部が使用者の背中に密着して、ランドセルの重心が使用者の背中から離れず、重く感じることがなく、しかも使用感の良いランドセルを提供する。【解決手段】ランドセル本体２の背当て部３の上部に設けた取付具４の左右一対の連結体６の上端のそれぞれの取付部６ａを前後方向に約１５〜６０度の回動角の範囲で回動自在とすると共に、これら取付部６ａに、弾性部材５を保持した左右一対の肩掛けベルト１を、この肩掛けベルト１の取付部がランドセル本体２から上方に向いた状態で取り付けたものとしている。【選択図】　　　　図８
2004081800.tif 000002
【特許請求の範囲】
【請求項１】
ランドセル本体（２）の背当て部（３）の上部に設けた取付具（４）の左右一対の連結体（６）の上端のそれぞれの取付部（６ａ）を前後方向に約１５〜６０度の回動角の範囲で回動自在とすると共に、これら取付部（６ａ）に、弾性部材（５）を保持した左右一対の肩掛けベルト（１）を、この肩掛けベルト（１）の取付部がランドセル本体（２）から上方に向いた状態で取り付けたことを特徴とするランドセル。
【請求項２】
前記肩掛けベルト（１）を、上層体（１ａ）と下層体（１ｂ）より構成されるものとし、これら上層体（１ａ）と下層体（１ｂ）の間に前記弾性部材（５）の挿入部（５ａ）を差し込むと共に、その弾性部材（５）の折返し部（５ｂ）を下層体（１ｂ）の外面に添わせ、重なり合ったこれら上層体（１ａ）、下層体（１ｂ）、挿入部（５ａ）および折返し部（５ｂ）の両側部を縫着したことを特徴とする請求項１記載のランドセル。
【請求項３】
前記連結体（６）の取付部（６ａ）に挿入穴（Ｈ）を形成し、この挿入穴（Ｈ）に肩掛けベルト（１）の上端をそれぞれ挿入してリベット止めしたことを特徴とする請求項１記載のランドセル。
【請求項４】
前記連結体（６）を背当て部（３）にそれぞれ左右方向に揺動自在に取り付けると共に、連結体（６）にそれぞれ内方向の弾力を付したことを特徴とする請求項１記載のランドセル。
【発明の詳細な説明】
【０００１】
【発明の属する技術分野】
この発明は、ランドセル本体の肩掛けベルトおよびその取付具を改良したランドセルに関するものである。
【０００２】
【従来の技術】
従来のランドセルの取付具としては、図１０に示したように、金属板を二つ折りにした連結体３１の折り曲げ部の略中央部を分断して二つの挿通部３２、３２を設け、それぞれの挿通部３２、３２の下方に止め孔３３、３３を設けると共に、前記挿通部３２、３２の互いに向き合う端部側に形成される空間部３４に略Ω形状の吊下環３５の脚部を回動自在に取り付け、さらにこれら挿通部３２、３２の両端にそれぞれ略三角形状の連結環３７、３７を回動自在に取り付けたものが存在する。
【０００３】
このように構成されたランドセルの取付具は、図１１に示したように、ランドセル本体４１の背当て部４２の最上端または最上端から少し下げた位置に連結体３１を取り付け、連結環３７、３７にそれぞれ肩掛けベルト４３、４３の上端部を取り付けていた。
【０００４】
前記肩掛けベルト４３は、厚手の皮革や合成樹脂地等からなる上層体と、発泡合成樹脂体に薄手の皮革や合成樹脂地等を巻き付けてなる下層体より構成され、これらを重ね合わせて両側部を縫着したものとしている。
【０００５】
【発明が解決しようとする課題】
しかしながら、上記従来のランドセルでは、図１２に示したように、連結体３１の挿通部３２、３２の両端に取り付けられた連結環３７、３７が使用者の背中方向に回動し、連結環３７、３７に取り付けた肩掛けベルト４３、４３が、使用中にランドセルの重量により次第に肩からずれて、使用者の背中から離れて後方へ傾いてしまう。そのため、ランドセルの重心が使用者の背中から離れ、ランドセルが背負い難くなると共に重く感じるという課題を有していた。
【０００６】
さらに、上記従来のランドセルでは、肩掛けベルト４３が上記したような構成であるため、張りがなく柔らかいので、使用中に使用者の肩からずれ易くなり、ランドセルが背負い難くなると共に重く感じるという上記課題を助長することになっていた。
【０００７】
また、上記従来のランドセルでは、使用者の背中から離れて後方へ傾いてしまうため、ランドセル本体４１の背当て部４２の下端部が使用者の背中に当たって、使用者が痛みを感じたりし、使用感が悪いという課題を有していた。
【０００８】
そこで、この発明は、上記従来の課題を解決するものであり、肩掛けベルトが使用中にランドセルの重量により肩からずれず、ランドセルの背当て部が使用者の背中に密着して、ランドセルの重心が使用者の背中から離れず、重く感じることがなく、しかも使用感が良いランドセルを提供することを目的としてなされたものである。
【０００９】
【課題を解決するための手段】
この発明のランドセルは、ランドセル本体２の背当て部３の上部に設けた取付具４の左右一対の連結体６の上端のそれぞれの取付部６ａを前後方向に約１５〜６０度の回動角の範囲で回動自在とすると共に、これら取付部６ａに、弾性部材５を保持した左右一対の肩掛けベルト１を、この肩掛けベルト１の取付部がランドセル本体２から上方に向いた状態で取り付けたものとしている。
【００１０】
そして、この発明のランドセルは、前記肩掛けベルト１を、上層体１ａと下層体１ｂより構成されるものとし、これら上層体１ａと下層体１ｂの間に前記弾性部材５の挿入部５ａを差し込むと共に、その弾性部材５の折返し部５ｂを下層体１ｂの外面に添わせ、重なり合ったこれら上層体１ａ、下層体１ｂ、挿入部５ａおよび折返し部５ｂの両側部を縫着したものとしている。
【００１１】
さらに、この発明のランドセルは、前記連結体６の取付部６ａに挿入穴Ｈを形成し、この挿入穴Ｈに肩掛けベルト１の上端をそれぞれ挿入してリベット止めしたものとしている。
【００１２】
また、この発明のランドセルは、前記連結体６を背当て部３にそれぞれ左右方向に揺動自在に取り付けると共に、連結体６にそれぞれ内方向の弾力を付したものとしている。
【００１３】
【発明の実施の形態】
以下、この発明のランドセルの実施の形態を、図面に基づいて詳細に説明する。
【００１４】
図１は、この発明のランドセルを背当て部側から見た部分拡大図を示している。１は左右一対の肩掛けベルトであり、これら肩掛けベルト１の上端部は、ランドセル本体２の背当て部３の上部に設けた取付具４に取り付けられている。また、肩掛けベルト１の下端部は、ランドセル本体２の底部に設けた取付具（図示せず）に取り付けられている。なお、背当て部３の上部とは、背当て部３の最上端または最上端から少し下げた位置のことをいう。
【００１５】
前記肩掛けベルト１は、図２〜４に示したような弾性合成樹脂板や弾性金属板、弾性線材などの弾性部材５を、上端部に挟み込んだり、上端部の裏表面に沿わせたりすることにより、取付部寄りに保持したものとしている。そして、肩掛けベルト１は、この肩掛けベルト１の取付部がランドセル本体２から上方に向いた状態で前記取付具４に取り付けられている。前記肩掛けベルト１は、図５に示したものでは、厚手の皮革や合成樹脂地等からなる上層体１ａと、発泡合成樹脂体に薄手の皮革や合成樹脂地等を巻き付けてなる下層体１ｂより構成され、これら上層体１ａと下層体１ｂの間に弾性合成樹脂板よりなる弾性部材５の挿入部５ａを差し込むと共に、その挿入部５ａの基端を折り返して形成した折返し部５ｂを下層体１ｂの外面に添わせ、重なり合ったこれら上層体１ａ、下層体１ｂ、挿入部５ａおよび折返し部５ｂの両側部を縫着したものとしている。なお、弾性部材５の挿入部５ａは、使用者が肩掛けベルト１を肩に掛けたときに肩に添って曲がり得る長さとしており、図示したものでは約６ｃｍ程度としているが、必要に応じてこれより長くしても短くしてもよい。また、弾性部材５の折返し部５ｂは、後に述べる取付具４の連結体６の取付部６ａに形成した挿入穴Ｈに肩掛けベルト１の上端を挿入した場合、この挿入穴Ｈから少し食み出て、肩掛けベルト１の下層体１ｂが取付部６ａに直接当たらないようにして、この下層体１ｂが傷つかないようにしており、図示したものでは約２ｃｍ程度としているが、必要に応じてこれより長くしても短くしてもよい。さらに、弾性部材５の基端部には、上層体１ａの先端および下層体１ｂの先端の被覆部５ｃを設け、肩掛けベルト１の上端を前記挿入穴Ｈに挿入するときに、上層体１ａおよび下層体１ｂの先端がほつれて引っ掛かったりすることなく、この挿入穴Ｈに入り易いようにしている。
【００１６】
前記取付具４は、図６、７に示したように、左右一対の連結体６の上端に設けた取付部６ａをそれぞれ前後方向に約１５〜６０度、好ましくは約３０〜４５度の回動角の範囲で回動自在としている。
【００１７】
そこで、連結体６の上端に設けた取付部６ａを前記回動角の範囲で回動自在とするには、図８に示したように、連結体６に取付部６ａを軸支する一方、連結体６の上端の前方部および後方部に、取付部６ａの回動が前記回動角の範囲で制限される当たり７ａ、７ｂを設ければよいが、このような構造に限定されることはない。そして、前記取付部６ａは、それぞれ挿入穴Ｈを形成したものとしており、これら挿入穴Ｈに前記肩掛けベルト１の上端をそれぞれ挿入して、肩掛けベルト１の上端に設けたリベット孔８と取付部６ａに設けたリベット孔９を合致させると共に、これらリベット孔８、９にリベット１０を通して、それぞれリベット止めしている。
【００１８】
さらに、この取付具４は、連結体６の対向側面にそれぞれ歯部６ｂを設け、これら歯部６ｂを互いに噛み合わせて連結体６を背当て部３にそれぞれ左右方向に揺動自在に取り付けると共に、連結体６にそれぞれ内方向の弾力を付したものとしている。なお、前記挿入穴Ｈは、連結体６の取付部６ａの上方向に設けておれば特に限定されるものではなく、真上としてもよいが肩掛けベルト１側からランドセル本体２の背当て部３側に若干傾けたものとしてもよい。
【００１９】
図に示した実施の形態では、前記連結体６を背当て部３に左右方向に揺動自在に取り付けるには、連結体６を上下被覆板１１ａ、１１ｂの間に挟み込み、連結体６に形成した摺動孔１２に下被覆板１１ｂに設けた摺動体１３を入り込ませ、連結体６の下端に設けた軸孔１４に下被覆板１１ｂに設けた止体１５を軸支している。さらに、前記連結体６の内方向の弾力を付すには、それぞれの連結体６の外側面６ｃを内方向に押し付けるバネ１６を上下被覆板１１ａ、１１ｂの間に取り付けている。このバネ１６は、略Ｕ字状としており、外体１６ａは下被覆板１１ｂに設けた支持部１７および支持体１８に支持され、内体１６ｂは連結体６の外側面６ｃに当接するようにしている。なお、１９は上被覆板１１ａの上に当生地２０（図１参照）を押さえ付けておくための押板である。２１は不使用時にランドセルを吊り下げておくための吊下環であり、下被覆板１１ｂの上端中央部に取り付けられている。
【００２０】
そして、前記取付具４は、押板１９に設けられたリベット孔２２から上被覆板１１ａに設けられたリベット孔２３にリベット２４を貫通させ、さらにこのリベット２４を下被覆板１１ｂに設けられたリベット孔２５を貫通させて、ランドセル本体２の背当て部３の裏側に取り付けられる止板（図示せず）にリベット止めしている。
【００２１】
以上のように構成したこの発明のランドセルは、図１、８に示したように、取付具４の連結体６の取付部６ａに取付けられた肩掛けベルト１の取付部がランドセル本体２から上方に向いた状態となっている。そのため、使用者がランドセルを背負った場合には、図９に示したように、ランドセル本体２が常に斜め上方に引っ張られた状態となる。しかも、肩掛けベルト１には弾性部材５が保持されているので、肩掛けベルト１が使用者の肩に添うように曲がる。
【００２２】
したがって、このような状態で、この発明のランドセルを背負うと、ランドセル本体２の背当て部３が使用者の背中に密着した状態に保たれることになる。
【００２３】
さらに、この発明のランドセルは、ランドセル本体２の背当て部３の上部での肩掛けベルト１の位置を、連結体６の揺動幅内において、使用者の体格に応じて左右方向に移動することができると共に、連結体６に付される内方向の弾力によって、その体格に応じた位置に維持しておける。
【００２４】
したがって、この発明のランドセルは、肩掛けベルト１の位置を使用者の体格に応じたものとすることができると共に、使用者の肩に密着させた状態にしておくことができる。
【００２５】
また、この発明のランドセルは、前記肩掛けベルト１の取付部がランドセル本体２から斜め上方に向いた状態となり、しかも連結体６の取付部６ａを約１５〜６０度の回動角の範囲で回動自在にしているので、図８に示したように、この肩掛けベルト１をランドセル本体２のタレ２６側に曲げた場合には、肩掛けベルト１がランドセル本体２のタレ２６に沿うように曲げ易くなり、ランドセルの保管時や搬送時に箱詰めしておく作業がし易いものとなる。
【００２６】
【発明の効果】
この発明のランドセルは、以上に述べたように構成されているので、肩掛けベルトが使用中にランドセルの重量により肩からずれず、ランドセルの背当て部が使用者の背中に密着して、ランドセルの重心が使用者の背中から離れず、重く感じることがなく、しかも使用感が良いものとなった。
【図面の簡単な説明】
【図１】この発明のランドセルを背当て部側から見た状態を示す部分拡大図である。
【図２】この発明のランドセルの肩掛けベルトに保持する弾性部材の一例を示す斜視図である。
【図３】この発明のランドセルの肩掛けベルトに保持する弾性部材の他の例を示す斜視図である。
【図４】この発明のランドセルの肩掛けベルトに保持する弾性部材のさらに他の例を示す斜視図である。
【図５】この発明のランドセルの肩掛けベルトの上端部の斜視図である。
【図６】この発明のランドセルの取付具の上被覆板を外した状態を示す斜視図である。
【図７】この発明のランドセルの取付具の分解斜視図である。
【図８】この発明のランドセルの肩掛けベルトの上端部を取付具の連結体に取り付けた状態を示す断面図である。
【図９】この発明のランドセルを背負った状態を示す説明図である。
【図１０】従来のランドセルの取付具の斜視図である。
【図１１】従来のランドセルを背当て部側から見た状態を示す部分斜視図である。
【図１２】従来のランドセルを背負った状態を示す説明図である。
【符号の説明】
１　肩掛けベルト
１ａ　上層体
１ｂ　下層体
２　ランドセル本体
３　背当て部
４　取付具
５　弾性部材
５ａ　挿入部
５ｂ　折返し部
６　連結体
６ａ　取付部
Ｈ　挿入穴
【図１】
2004081800.tif 000003
【図２】
2004081800.tif 000004
【図３】
2004081800.tif 000005
【図４】
2004081800.tif 000006
【図５】
2004081800.tif 000007
【図６】
2004081800.tif 000008
【図７】
2004081800.tif 000009
【図８】
2004081800.tif 000010
【図９】
2004081800.tif 000011
【図１０】
2004081800.tif 000012
【図１１】
2004081800.tif 000013
【図１２】
2004081800.tif 000014